(57)【要約】【課題】装置の規模を大きくすることなく、入力信号を瞬時に切り替える。【解決手段】入力部１２０が所定の操作を受け付けると、選択部１４０がミュート処理を開始してから入力信号を切り替え、制御部１６０が入力信号に対応するデータを設定し、制御部１６０がデータを設定している間に、選択部１４０は他の入力信号を選択し、比較部１３０が、制御部１６０がデータを設定している入力信号の内容と選択部１４０が選択している入力信号の内容とを比較し、その結果を記憶し、比較後、選択部１４０が、入力信号を制御部１６０がデータを設定した入力信号へ切り替えてミュート処理を終了し、入力部１２０が所定の操作を受け付けた際、比較部１３０が記憶している比較の結果が同一を示すものである場合、ミュート処理を行わずに入力信号を切り替える。【選択図】図１
2017152856.tif 000002
【特許請求の範囲】
【請求項１】
所定の操作を受け付ける入力部と、
複数の入力信号それぞれを入力する複数の入力端子と、
前記複数の入力信号の内容を互いに比較し、該比較の結果を記憶する比較部と、
前記入力部が所定の操作を受け付けると、前記入力信号をミュート状態にして出力するミュート処理を開始してから、前記複数の入力信号のうち選択している入力信号を、切り替えようとする他の入力信号へ切り替える選択部と、
前記選択部が選択した入力信号の内容を判別する判別部と、
前記選択部が切り替えた入力信号に対応するデータを設定する制御部とを有し、
前記選択部は、前記制御部が前記入力信号に対応するデータを設定している間に、前記複数の入力信号のうち、前記制御部がデータを設定している入力信号とは異なる入力信号を選択し、
前記比較部は、前記制御部がデータを設定している入力信号の内容と、前記制御部が前記入力信号に対応するデータを設定している間に前記選択部が選択した入力信号の内容とを比較し、該比較の結果を記憶し、
前記選択部は、前記比較部が前記比較を行った後、選択する入力信号を前記制御部が前記データを設定した入力信号へ切り替えて前記ミュート処理を終了し、前記入力部が所定の操作を受け付けた際、前記比較部が記憶している比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える信号処理装置。
【請求項２】
請求項１に記載の信号処理装置において、
前記選択部が選択した入力信号に対して、前記制御部が設定したデータを用いて所定の処理を行う信号処理部と、
前記信号処理部で処理された信号を出力する出力部とを有する信号処理装置。
【請求項３】
請求項２に記載の信号処理装置において、
前記出力部は、前記入力信号を映像信号として表示する信号処理装置。
【請求項４】
請求項２に記載の信号処理装置において、
前記出力部は、前記入力信号を映像信号として投写する信号処理装置。
【請求項５】
請求項１から４のいずれか１項に記載の信号処理装置において、
前記複数の入力端子それぞれは、複数の映像信号を入力する信号処理装置。
【請求項６】
請求項１から５のいずれか１項に記載の信号処理装置において、
前記複数の入力端子は、互いに異なるインタフェースを有する信号処理装置。
【請求項７】
請求項１から６のいずれか１項に記載の信号処理装置において、
前記複数の入力端子の数が３つである場合、前記選択部は、前記入力部が前記所定の操作を受け付けた際に前記選択部が選択している入力信号ではない２つの入力信号のうちいずれか一方を前記異なる入力信号として選択する信号処理装置。
【請求項８】
請求項１から６のいずれか１項に記載の信号処理装置において、
前記複数の入力端子の数が４つ以上である場合、前記選択部は、前記入力部が前記所定の操作を受け付けた際に前記選択部が選択している入力信号ではない複数の入力信号のうちあらかじめ設定された優先順位に基づいていずれか１つを前記異なる入力信号として選択する信号処理装置。
【請求項９】
複数の入力信号のうち１つの入力信号を選択する処理と、
所定の操作を受け付ける処理と、
前記所定の操作を受け付けると、前記入力信号をミュート状態にして出力するミュート処理を開始してから、前記複数の入力信号のうち選択している入力信号を、切り替えようとする他の入力信号へ切り替える処理と、
前記切り替えた入力信号の内容を判別する処理と、
前記切り替えた入力信号に対応するデータを設定する処理と、
前記入力信号に対応するデータを設定している間に、前記複数の入力信号のうち、前記データが設定されている入力信号とは異なる入力信号を選択する処理と、
前記データが設定されている入力信号の内容と、前記入力信号に対応するデータを設定している間に切り替えた入力信号の内容とを比較する処理と、
前記比較の結果を記憶する処理と、
前記比較を行った後、選択する入力信号を前記データが設定された入力信号へ切り替えて前記ミュート処理を終了する処理と、
前記所定の操作を受け付けた際、前記比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える処理とを行う信号処理方法。
【請求項１０】
コンピュータに、
複数の入力信号のうち１つの入力信号を選択する手順と、
所定の操作を受け付ける手順と、
前記所定の操作を受け付けると、前記入力信号をミュート状態にして出力するミュート処理を開始してから、前記複数の入力信号のうち選択している入力信号を、切り替えようとする他の入力信号へ切り替える手順と、
前記切り替えた入力信号の内容を判別する手順と、
前記切り替えた入力信号に対応するデータを設定する手順と、
前記入力信号に対応するデータを設定している間に、前記複数の入力信号のうち、前記データが設定されている入力信号とは異なる入力信号を選択する手順と、
前記データが設定されている入力信号の内容と、前記入力信号に対応するデータを設定している間に切り替えた入力信号の内容とを比較する手順と、
前記比較の結果を記憶する手順と、
前記比較を行った後、選択する入力信号を前記データが設定された入力信号へ切り替えて前記ミュート処理を終了する手順と、
前記所定の操作を受け付けた際、前記比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える手順とを実行させるためのプログラム。
【発明の詳細な説明】
【技術分野】
【０００１】
本発明は、入力信号を処理する信号処理装置、信号処理方法およびプログラムに関し、特に複数の入力信号を処理する信号処理装置、信号処理方法およびプログラムに関する。
【背景技術】
【０００２】
一般的なプロジェクタ等の映像を表示したり、投写したりする装置には、複数の入力端子を具備しているものが多くなってきている。このような装置は、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）端子、Ｄｉｓｐｌａｙｐｏｒｔ端子およびＣＯＭＰＵＴＥＲ端子というように異なるタイプの端子を設け、それぞれの形状のコネクタを持ったケーブルと接続可能となっている。
【０００３】
プロジェクタの使用例として映画館での使用が挙げられる。映画館において上映中は映像を途切れさせてはいけない。そのため、ケーブルの切断などが原因で映像が中断してしまうことは、避けなければならない問題である。上述したように複数の入力端子が具備され、同一の信号が他の入力端子から入力されていれば、１つのケーブルが切断されても入力端子を切り替えることで、途切れさせることなく映像を投写し続けることができる。
【０００４】
図６は、一般的な信号処理装置の一形態を示す図である。図６に示した信号処理装置５００は、複数の入力端子５１０−１，５１０−２と、入力部５２０と、判別部５５０，５５１と、制御部５６０と、信号処理部５７０と、出力部５８０とを有している。
入力端子５１０−１，５１０−２は、互いに異なる形状のインタフェースを持った端子であって、それぞれ接続されたケーブルを介して外部から入力信号を入力する。判別部５５０，５５１はそれぞれ、入力端子５１０−１，５１０−２に入力信号が入力されているかどうかを判定し、入力された入力信号を判別する。入力部５２０は、外部から所定の操作を受け付ける。制御部５６０は、入力部５２０が外部から所定の操作を受け付けると、判別部５５０，５５１が判別した入力信号を互いに比較し、同一である場合、信号処理部５７０が処理している入力信号を切り換える。信号処理部５７０は、判別部５５０，５５１から出力されてきた入力信号のうち、制御部５６０から指示された入力信号に対して、出力（表示）するための所定の処理を行う。出力部５８０は、信号処理部５７０から出力された入力信号を出力（表示または投写）する。
【０００５】
図７は、図６に示した信号処理装置５００が行う信号処理方法の一例を説明するためのフローチャートである。
まず、入力部５２０が、リモコンやキー操作を用いた端子切り替えのコマンドを受け付けると、信号処理部５７０は、出力部５８０へ出力する信号に対して映像ミュートを行う（ステップＳ６１）。これは、信号処理装置５００が、入力端子の切り替え中に生じる画面のノイズを利用者に見せないようにするために映像の出力を止める処理である。
続いて、制御部５６０は、信号処理部５７０に対して、入力端子５１０−１，５１０−２から入力している入力信号の切り替えを指示する。すると、信号処理部５７０は、入力端子５１０−１，５１０−２から入力している入力信号の切り替えを行う（ステップＳ６２）。以下、制御部５６０が、入力端子５１０−１から入力端子５１０−２へ切り替える指示を信号処理部５７０へ出力する場合を例に挙げて説明する。続いて、判別部５５１は、入力端子５１０−２に信号が入力されているかどうかを検知するための信号サーチを行う（ステップＳ６３）。判別部５５１は、入力信号を検知すると、その信号がどのような信号かを判別するために、解像度や垂直周波数・水平周波数などの情報を取得する「信号判別」を行う（ステップＳ６４）。制御部５６０は、映像を正しく投写するために、判別した信号に対応するデータの設定を行う（ステップＳ６５）。続いて、信号処理部５７０は、映像ミュートを解除する（ステップＳ６６）。すると、再度映像出力となり、出力部５８０は、映像投写を行う（ステップＳ６７）。
このような信号処理方法においては、入力信号の切り替えに時間がかかってしまう。
【０００６】
図８は、図６に示した信号処理装置５００が行う信号処理方法の他の例を説明するためのフローチャートである。ここでは、制御部５６０が、入力端子５１０−１から入力端子５１０−２へ切り替える指示を信号処理部５７０へ出力する場合を例に挙げて説明する。
まず、判別部５５１が、入力端子５１０−２へ入力されている信号をサーチし（ステップＳ７１）、入力端子５１０−２に入力信号が入力されているかどうかを判定する（ステップＳ７２）。
判別部５５１は、入力端子５１０−２に入力信号が入力されていると判定した場合、その入力信号の内容を判別する（ステップＳ７３）。この判別処理は、ステップＳ６４におけるものと同じである。続いて、制御部５６０は、判別部５５１が判別した入力信号の内容が、判別部５５０が判別した入力信号の内容と同一かどうか比較する（ステップＳ７４）。
判別部５５１が判別した入力信号の内容が、判別部５５０が判別した入力信号の内容と同一である場合、現在投写している入力信号が切断された後、制御部５６０は、入力端子５１０−１から入力端子５１０−２へ切り替える指示を信号処理部５７０へ出力し、信号処理部５７０は処理を行う入力信号を入力端子５１０−１が入力する入力信号から入力端子５１０−２が入力する入力信号へ切り替える（ステップＳ７５）。そして、出力部５８０は、信号処理部５７０が処理した映像の投写を行う（ステップＳ７６）。
一方、判別部５５１が判別した入力信号の内容が、判別部５５０が判別した入力信号の内容と同一ではない場合、現在投写している信号が切断されても、制御部５６０は、信号処理部５７０に対して入力端子の切り替えを指示せず、処理を終了する。
【０００７】
このように、図６に示した信号処理装置５００は、２つの入力信号それぞれを判別する回路を２つ用いた構成とすることで、投写されている信号が入力されている端子以外の端子から入力されている信号を並行して判別しておく。これにより、判別した入力信号の内容が端子間で互いに同一である場合、入力端子の切り替えを瞬時に行うことができる。同様の構成として、２つの入力端子に対して、２つのフォーマット変換部がそれぞれ設けられ、その２つのフォーマット変換部の出力のうち一方を選択する装置が考えられている（例えば、特許文献１参照。）。
【先行技術文献】
【特許文献】
【０００８】
【特許文献１】特開２０００−３５４２０８号公報
【発明の概要】
【発明が解決しようとする課題】
【０００９】
上述したような入力信号を瞬時に切り替える技術においては、異なる端子からそれぞれ入力される信号同士が同一であることを判定するために、複数の入力信号それぞれの判別処理を並列して行う必要がある。そのため、入力端子の数と同じ数だけ入力信号を判別するための回路が必要となり、装置の規模の小型化を実現することが困難であるという問題点がある。
【００１０】
本発明の目的は、上述した課題を解決する信号処理装置、信号処理方法およびプログラムを提供することである。
【課題を解決するための手段】
【００１１】
本発明の信号処理装置は、
所定の操作を受け付ける入力部と、
複数の入力信号それぞれを入力する複数の入力端子と、
前記複数の入力信号の内容を互いに比較し、該比較の結果を記憶する比較部と、
前記入力部が所定の操作を受け付けると、前記入力信号をミュート状態にして出力するミュート処理を開始してから、前記複数の入力信号のうち選択している入力信号を、切り替えようとする他の入力信号へ切り替える選択部と、
前記選択部が選択した入力信号の内容を判別する判別部と、
前記選択部が切り替えた入力信号に対応するデータを設定する制御部とを有し、
前記選択部は、前記制御部が前記入力信号に対応するデータを設定している間に、前記複数の入力信号のうち、前記制御部がデータを設定している入力信号とは異なる入力信号を選択し、
前記比較部は、前記制御部がデータを設定している入力信号の内容と、前記制御部が前記入力信号に対応するデータを設定している間に前記選択部が選択した入力信号の内容とを比較し、該比較の結果を記憶し、
前記選択部は、前記比較部が前記比較を行った後、選択する入力信号を前記制御部が前記データを設定した入力信号へ切り替えて前記ミュート処理を終了し、前記入力部が所定の操作を受け付けた際、前記比較部が記憶している比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える。
また、本発明の信号処理方法は、
複数の入力信号のうち１つの入力信号を選択する処理と、
所定の操作を受け付ける処理と、
前記所定の操作を受け付けると、前記入力信号をミュート状態にして出力するミュート処理を開始してから、前記複数の入力信号のうち選択している入力信号を、切り替えようとする他の入力信号へ切り替える処理と、
前記切り替えた入力信号の内容を判別する処理と、
前記切り替えた入力信号に対応するデータを設定する処理と、
前記入力信号に対応するデータを設定している間に、前記複数の入力信号のうち、前記データが設定されている入力信号とは異なる入力信号を選択する処理と、
前記データが設定されている入力信号の内容と、前記入力信号に対応するデータを設定している間に切り替えた入力信号の内容とを比較する処理と、
前記比較の結果を記憶する処理と、
前記比較を行った後、選択する入力信号を前記データが設定された入力信号へ切り替えて前記ミュート処理を終了する処理と、
前記所定の操作を受け付けた際、前記比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える処理とを行う。
また、本発明のプログラムは、
コンピュータに実行させるためのプログラムであって、
複数の入力信号のうち１つの入力信号を選択する手順と、
所定の操作を受け付ける手順と、
前記所定の操作を受け付けると、前記入力信号をミュート状態にして出力するミュート処理を開始してから、前記複数の入力信号のうち選択している入力信号を、切り替えようとする他の入力信号へ切り替える手順と、
前記切り替えた入力信号の内容を判別する手順と、
前記切り替えた入力信号に対応するデータを設定する手順と、
前記入力信号に対応するデータを設定している間に、前記複数の入力信号のうち、前記データが設定されている入力信号とは異なる入力信号を選択する手順と、
前記データが設定されている入力信号の内容と、前記入力信号に対応するデータを設定している間に切り替えた入力信号の内容とを比較する手順と、
前記比較の結果を記憶する手順と、
前記比較を行った後、選択する入力信号を前記データが設定された入力信号へ切り替えて前記ミュート処理を終了する手順と、
前記所定の操作を受け付けた際、前記比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える手順とを実行させる。
【発明の効果】
【００１２】
以上説明したように、本発明においては、装置の規模を大きくすることなく、入力信号を瞬時に切り替えることができる。
【図面の簡単な説明】
【００１３】
【図１】本発明の信号処理装置の実施の一形態を示す図である。
【図２】図１に示した信号処理装置が入力信号が入力される入力端子を切り替える際の信号処理方法の一例を説明するためのフローチャートである。
【図３】図１に示した信号処理装置が入力信号が入力される入力端子を切り替える際の信号処理方法の一例を説明するためのフローチャートである。
【図４】本発明の信号処理装置の実施の他の形態を示す図である。
【図５】図４に示した信号処理装置が入力信号が入力される入力端子を切り替える際の信号処理方法の一例を説明するためのフローチャートである。
【図６】一般的な信号処理装置の一形態を示す図である。
【図７】図６に示した信号処理装置が行う信号処理方法の一例を説明するためのフローチャートである。
【図８】図６に示した信号処理装置が行う信号処理方法の他の例を説明するためのフローチャートである。
【発明を実施するための形態】
【００１４】
以下に、本発明の実施の形態について図面を参照して説明する。
【００１５】
図１は、本発明の信号処理装置の実施の一形態を示す図である。本形態における信号処理装置１００は図１に示すように、複数の入力端子１１０−１，１１０−２と、入力部１２０と、比較部１３０と、選択部１４０と、判別部１５０と、制御部１６０と、信号処理部１７０と、出力部１８０とを有している。なお、図１には、本発明の信号処理装置が具備する構成要素のうち、本実施の形態に関わる主要な構成要素の一例を示す。また、図１に示した信号処理装置１００は、入力端子を２つ具備したものを例に挙げて示しているが、３つ以上であっても良い。
【００１６】
入力端子１１０−１，１１０−２は、複数の入力信号それぞれを入力する端子である。入力端子１１０−１，１１０−２は、例えば、ＨＤＭＩ端子や、Ｄｉｓｐｌａｙｐｏｒｔ端子、ＣＯＭＰＵＴＥＲ端子等であっても良い。入力端子１１０−１，１１０−２は、互いに異なるタイプの端子であって、それぞれの形状のコネクタおよびインタフェースを持ったケーブルと接続可能である。入力端子１１０−１，１１０−２が入力する入力信号は、映像信号であっても良い。
【００１７】
入力部１２０は、信号処理装置１００を操作する者の操作を受け付ける。この操作は、例えば、リモコンの所定のキーを押す操作や、信号処理装置１００に具備された所定のキー操作であっても良い。入力部１２０は、これらの操作のうち、端子切り替えのためにあらかじめ設定された操作を受け付けると、その旨を選択部１４０へ通知する。
【００１８】
比較部１３０は、入力端子１１０−１，１１０−２からそれぞれ入力されてきた複数の入力信号の内容を互いに比較する。この入力信号の「内容」とは、判別部１５０が入力信号について判別した内容である。比較部１３０が比較を行う対象となる入力信号は、制御部１６０がデータを設定している入力信号と、制御部１６０が入力信号に対応するデータを設定している間に選択部１４０が選択した入力信号との２つの入力信号である。比較部１３０は、比較の結果を記憶する。比較部１３０が比較を行うタイミングおよびその結果を記憶するタイミングについては、後述する。
【００１９】
選択部１４０は、入力端子１１０−１，１１０−２から入力された入力信号のうち、入力部１２０が受け付けた操作に基づいた１つの入力信号を選択する。選択部１４０は、入力部１２０が所定の操作を受け付けた際、比較部１３０が記憶している比較の結果が、複数の入力信号のうち現在選択している入力信号の内容と操作に応じて切り替えようとする他の入力信号の内容とが同一を示すものではない場合、入力信号をミュート状態にして出力するミュート処理を開始してから、複数の入力信号のうち選択している入力信号を他の入力信号へ切り替える。また、選択部１４０は、制御部１６０が入力信号に対応するデータを設定している間に、複数の入力信号のうち、制御部１６０がデータを設定している入力信号とは異なる入力信号を選択する。また、選択部１４０は、比較部１３０が比較を行った後、選択する入力信号を制御部１６０がデータを設定した入力信号へ切り替えてミュート処理を終了する。また、選択部１４０は、入力部１２０が所定の操作を受け付けた際、比較部１３０が記憶している比較の結果が、複数の入力信号のうち現在選択している入力信号の内容と操作に応じて切り替えようとする他の入力信号の内容とが同一を示すものである場合、ミュート処理を行わずに、入力信号を他の入力信号へ切り替える。
【００２０】
判別部１５０は、選択部１４０が選択した入力信号の内容を判別する。この判別は、選択部１４０が選択した入力信号について、その信号がどのような信号かを判別するために、解像度や垂直周波数・水平周波数などの情報を取得するものである。
【００２１】
制御部１６０は、比較部１３０が記憶している比較の結果が、複数の入力信号のうち現在選択している入力信号の内容と操作に応じて切り替えようとする他の入力信号の内容とが同一を示すものではない場合、選択部１４０が切り替えた入力信号に対応するデータを信号処理部１７０に設定する。
【００２２】
信号処理部１７０は、選択部１４０が選択した入力信号に対して、制御部１６０が設定したデータを用いて所定の処理を行う。また、信号処理部１７０は、選択部１４０が行うミュート処理を選択部１４０の代わりに行うものであっても良い。
【００２３】
出力部１８０は、信号処理部１７０が処理した信号を出力する。出力部１８０は、入力信号を映像信号として表示するものであっても良いし、入力信号を映像信号としてスクリーン等へ投写するものであっても良い。例えば、出力部１８０は、ＬＣＤ（Ｌｉｑｕｉｄ  Ｃｒｙｓｔａｌ  Ｄｉｓｐｌａｙ）やＤＭＤ（Ｄｉｇｉｔａｌ  Ｍｉｒｒｏｒ  Ｄｅｖｉｃｅ）であっても良い。また、出力部１８０は、選択部１４０が行うミュート処理を選択部１４０の代わりに行うものであっても良い。
【００２４】
以下に、図１に示した信号処理装置１００における信号処理方法について説明する。ここでの説明においては、初期段階では、比較部１３０には比較の結果が記憶されていない。また、選択部１４０が現在、入力端子１１０−２から入力されている入力信号を選択している場合を例に挙げる。
【００２５】
図２は、図１に示した信号処理装置１００が入力信号が入力される入力端子を入力端子１１０−２から入力端子１１０−１へ切り替える際の信号処理方法の一例を説明するためのフローチャートである。
入力部１２０が、リモコンやキー操作を用いて入力端子１１０−１への切り替えのコマンドを受け付けると、選択部１４０は、比較部１３０が記憶している前回の比較の結果が、現在選択している入力端子１１０−２から入力されている入力信号の内容と切り替えようとする入力端子１１０−１からの入力信号の内容とが同一を示すものであるかどうかを判定する（ステップＳ１）。ここで、選択部１４０が参照する、比較部１３０が記憶している比較の結果は、入力端子１１０−２から入力される入力信号の内容と入力端子１１０−１から入力される入力信号の内容との比較の結果である。ここでは、比較部１３０には比較の結果が記憶されていないため（ステップＳ１のＮｏ）、選択部１４０は、出力する信号に対して映像ミュート処理を開始する（ステップＳ２）。これは、信号処理装置１００が、入力端子の切り替え中に生じる画面のノイズを利用者に見せないようにするために映像の出力を止める処理である。また、比較部１３０に比較の結果が記憶されている場合であっても、その比較の結果が、選択している入力信号の内容と切り替えようとする他の入力信号の内容とが同一を示すものではない場合も、ステップＳ２の処理が行われる。
続いて、選択部１４０は、入力信号を入力する入力端子を入力端子１１０−２から入力端子１１０−１へ切り替える（ステップＳ３）。判別部１５０は、入力端子１１０−１に信号が入力されているかどうかを検知するための信号サーチを行う（ステップＳ４）。判別部１５０は、入力端子１１０−１への入力信号を検知すると、その信号がどのような信号かを判別するために、解像度や垂直周波数・水平周波数などの情報を取得する信号判別を行う（ステップＳ５）。制御部１６０は、映像を正しく投写するために、判別した信号に対応するデータの設定を行う（ステップＳ６）。
ここで、一般的な信号処理装置における入力端子の切り替え処理においては、判別した信号に対応するデータの設定の処理にかかる時間が長く、一方、信号のサーチや判別にかかる時間は長くはない。例えば、判別した信号に対応するデータの設定の処理にかかる時間は約５秒間、信号のサーチや判別にかかる時間は約０．３秒間である。そこで、制御部１６０が処理時間の長い「判別した信号に対応するデータの設定の処理」を行っている間に、判別部１５０が他の入力端子から信号が入力されてきているかどうかを判定する「信号サーチ」を行い、判別部１５０が他の入力端子から入力された入力信号の信号判別を行う。
【００２６】
ステップＳ６にて制御部１６０が入力端子１１０−１から入力された入力信号に対応するデータを設定している間に、選択部１４０は、入力信号が入力される入力端子を入力端子１１０−１から入力端子１１０−２へ切り替える（ステップＳ７）。判別部１５０は、入力端子１１０−２に信号が入力されているかどうかを検知するための信号サーチを行う（ステップＳ８）。判別部１５０は、入力端子１１０−２への入力信号を検知すると、その信号がどのような信号かを判別するために、解像度や垂直周波数・水平周波数などの情報を取得する信号判別を行う（ステップＳ９）。
その後、比較部１３０は、判別部１５０が判別した、入力端子１１０−１から入力された入力信号の内容と、入力端子１１０−２から入力された入力信号の内容とを比較し、それらが互いに同一であるかどうかを示す内容を比較の結果として記憶する（ステップＳ１０）。比較部１３０が比較を行った後、選択部１４０は、選択する入力信号が入力される入力端子を入力端子１１０−２から入力端子１１０−１へ切り替え（ステップＳ１１）、ミュート処理を解除して終了する（ステップＳ１２）。そして、再度映像出力となり、出力部１８０は、映像を投写する（ステップＳ１３）。
【００２７】
一方、ステップＳ１にて、選択部１４０が、比較部１３０が記憶している比較の結果が、現在選択している入力端子１１０−２から入力されている入力信号の内容と切り替えようとする入力端子１１０−１からの入力信号の内容とが同一を示すものであると判定すると、ステップＳ２〜Ｓ１２における映像ミュート処理や信号のサーチ、信号判別等を行わずに、選択部１４０は、選択する入力信号が入力される入力端子を入力端子１１０−２から入力端子１１０−１へ切り替える（ステップＳ１４）。
【００２８】
次に、選択部１４０が現在、入力端子１１０−１から入力されている入力信号を選択しており、入力端子１１０−２から入力される入力信号へ切り替える場合を例に挙げる。
図３は、図１に示した信号処理装置１００が入力信号が入力される入力端子を入力端子１１０−１から入力端子１１０−２へ切り替える際の信号処理方法の一例を説明するためのフローチャートである。
入力部１２０が、リモコンやキー操作を用いて入力端子１１０−２への切り替えのコマンドを受け付けると、選択部１４０は、比較部１３０が記憶している前回の比較の結果が、現在選択している入力端子１１０−１から入力されている入力信号の内容と切り替えようとする入力端子１１０−２からの入力信号の内容とが同一を示すものであるかどうかを判定する（ステップＳ２１）。ここで、選択部１４０が参照する、比較部１３０が記憶している比較の結果は、入力端子１１０−１から入力される入力信号の内容と入力端子１１０−２から入力される入力信号の内容との比較の結果である。選択部１４０が、比較部１３０が記憶している比較の結果が、現在選択している入力端子１１０−１から入力されている入力信号の内容と切り替えようとする入力端子１１０−２からの入力信号の内容とが同一を示すものではないと判定すると、選択部１４０は、出力する信号に対して映像ミュート処理を開始する（ステップＳ２２）。これは、信号処理装置１００が、入力端子の切り替え中に生じる画面のノイズを利用者に見せないようにするために映像の出力を止める処理である。
続いて、選択部１４０は、入力信号を入力する入力端子を入力端子１１０−１から入力端子１１０−２へ切り替える（ステップＳ２３）。判別部１５０は、入力端子１１０−２に信号が入力されているかどうかを検知するための信号サーチを行う（ステップＳ２４）。判別部１５０は、入力端子１１０−２への入力信号を検知すると、その信号がどのような信号かを判別するために、解像度や垂直周波数・水平周波数などの情報を取得する信号判別を行う（ステップＳ２５）。制御部１６０は、映像を正しく投写するために、判別した信号に対応するデータの設定を行う（ステップＳ２６）。
【００２９】
ステップＳ２６にて制御部１６０が入力端子１１０−２から入力された入力信号に対応するデータを設定している間に、選択部１４０は、入力信号が入力される入力端子を入力端子１１０−２から入力端子１１０−１へ切り替える（ステップＳ２７）。判別部１５０は、入力端子１１０−１に信号が入力されているかどうかを検知するための信号サーチを行う（ステップＳ２８）。判別部１５０は、入力端子１１０−１への入力信号を検知すると、その信号がどのような信号かを判別するために、解像度や垂直周波数・水平周波数などの情報を取得する信号判別を行う（ステップＳ２９）。
その後、比較部１３０は、判別部１５０が判別した、入力端子１１０−２から入力された入力信号の内容と、入力端子１１０−１から入力された入力信号の内容とを比較し、それらが互いに同一であるかどうかを示す内容を比較の結果として記憶する（ステップＳ３０）。比較部１３０が比較を行った後、選択部１４０は、選択する入力信号が入力される入力端子を入力端子１１０−１から入力端子１１０−２へ切り替え（ステップＳ３１）、ミュート処理を解除して終了する（ステップＳ３２）。そして、再度映像出力となり、出力部１８０は、映像を投写する（ステップＳ３３）。
【００３０】
一方、ステップＳ２１にて、選択部１４０が、比較部１３０が記憶している比較の結果が、現在選択している入力端子１１０−１から入力されている入力信号の内容と切り替えようとする入力端子１１０−２からの入力信号の内容とが同一を示すものであると判定すると、ステップＳ２２〜Ｓ３２における映像ミュート処理や信号のサーチ、信号判別等を行わずに、選択部１４０は、選択する入力信号が入力される入力端子を入力端子１１０−１から入力端子１１０−２へ切り替える（ステップＳ３４）。例えば、図２に示したフローチャートを用いて説明したステップＳ１０の処理で、比較部１３０が比較して記憶した結果が、入力端子１１０−１から入力されている入力信号の内容と入力端子１１０−２からの入力信号の内容とが同一を示すものである場合、ステップＳ３４の処理が行われる。
【００３１】
このように、複数の入力端子からそれぞれ入力される複数の入力信号について、１つの判別部１５０が信号の判別を行う。このとき、制御部１６０が１つの入力信号に対してデータを設定している間に、判別部１５０が他の入力端子から入力されてきた信号の判別を行う。また、１回の入力端子の切り替え処理において、２つの入力信号のサーチおよび信号判別を行う。
【００３２】
図２に示したフローチャートを用いて説明した処理の後、図３に示したフローチャートを用いて説明した処理が行われた場合、ステップＳ１０において、入力端子１１０−１と入力端子１１０−２との比較結果が「同一」であることが記憶されれば、その後、入力端子１１０−１から入力端子１１０−２への切り替え時に、ステップＳ２１にて「同一」であることが判定され、ステップＳ３４にて入力端子が瞬時に切り替えることができる。
【００３３】
図４は、本発明の信号処理装置の実施の他の形態を示す図である。本形態における信号処理装置１０１は図４に示すように、複数の入力端子１１０−１〜１１０−３と、入力部１２０と、比較部１３０と、選択部１４０と、判別部１５０と、制御部１６０と、信号処理部１７０と、出力部１８０とを有している。なお、図４には、本発明の信号処理装置が具備する構成要素のうち、本実施の形態に関わる主要な構成要素の一例を示す。図４に示した信号処理装置１０１は、図１に示した信号処理装置１００の入力端子を２つから３つにした形態である。
【００３４】
以下に、図４に示した信号処理装置１０１における信号処理方法について説明する。選択部１４０が現在、入力端子１１０−３から入力されている入力信号を選択おり、入力部１２０からの指示が入力端子１１０−１への切り替え指示である場合を例に挙げる。また、入力端子１１０−１がＨＤＭＩ端子であり、入力端子１１０−２がＤｉｓｐｌａｙｐｏｒｔ端子であり、入力端子１１０−３がＣｏｍｐｕｔｅｒ端子であっても良い。また、初期段階では、比較部１３０には比較の結果が記憶されていない。
図５は、図４に示した信号処理装置１０１が入力信号が入力される入力端子を入力端子１１０−３から入力端子１１０−１へ切り替える際の信号処理方法の一例を説明するためのフローチャートである。
入力部１２０が、リモコンやキー操作を用いて入力端子１１０−１への切り替えのコマンドを受け付けると、選択部１４０は、比較部１３０が記憶している前回の比較の結果が、現在選択している入力端子１１０−３から入力されている入力信号の内容と切り替えようとする入力端子１１０−１からの入力信号の内容とが同一を示すものであるかどうかを判定する（ステップＳ４１）。ここで、選択部１４０が参照する、比較部１３０が記憶している比較の結果は、入力端子１１０−３から入力される入力信号の内容と入力端子１１０−１から入力される入力信号の内容との比較の結果である。ここでは、比較部１３０には比較の結果が記憶されていないため（ステップＳ４１のＮｏ）、選択部１４０は、出力する信号に対して映像ミュート処理を開始する（ステップＳ４２）。これは、信号処理装置１０１が、入力端子の切り替え中に生じる画面のノイズを利用者に見せないようにするために映像の出力を止める処理である。また、比較部１３０に比較の結果が記憶されている場合であっても、その比較の結果が、選択している入力信号の内容と切り替えようとする他の入力信号の内容とが同一を示すものではない場合も、ステップＳ４２の処理が行われる。
続いて、選択部１４０は、入力信号を入力する入力端子を入力端子１１０−３から入力端子１１０−１へ切り替える（ステップＳ４３）。判別部１５０は、入力端子１１０−１に信号が入力されているかどうかを検知するための信号サーチを行う（ステップＳ４４）。判別部１５０は、入力端子１１０−１への入力信号を検知すると、その信号がどのような信号かを判別するために、解像度や垂直周波数・水平周波数などの情報を取得する信号判別を行う（ステップＳ４５）。制御部１６０は、映像を正しく投写するために、判別した信号に対応するデータの設定を行う（ステップＳ４６）。
【００３５】
ステップＳ４６にて制御部１６０が入力端子１１０−１から入力された入力信号に対応するデータを設定している間に、選択部１４０は、入力信号が入力される入力端子を入力端子１１０−１から入力端子１１０−２へ切り替える（ステップＳ４７）。判別部１５０は、入力端子１１０−２に信号が入力されているかどうかを検知するための信号サーチを行う（ステップＳ４８）。判別部１５０は、入力端子１１０−２への入力信号を検知すると、その信号がどのような信号かを判別するために、解像度や垂直周波数・水平周波数などの情報を取得する信号判別を行う（ステップＳ４９）。
その後、比較部１３０は、判別部１５０が判別した、入力端子１１０−１から入力された入力信号の内容と、入力端子１１０−２から入力された入力信号の内容とを比較し、それらが互いに同一であるかどうかを示す内容を比較の結果として記憶する（ステップＳ５０）。比較部１３０が比較を行った後、選択部１４０は、選択する入力信号が入力される入力端子を入力端子１１０−２から入力端子１１０−１へ切り替え（ステップＳ５１）、ミュート処理を解除して終了する（ステップＳ５２）。そして、再度映像出力となり、出力部１８０は、映像を投写する（ステップＳ５３）。
【００３６】
一方、ステップＳ４１にて、選択部１４０が、比較部１３０が記憶している比較の結果が、現在選択している入力端子１１０−３から入力されている入力信号の内容と切り替えようとする入力端子１１０−１からの入力信号の内容とが同一を示すものであると判定すると、ステップＳ４２〜Ｓ５２における映像ミュート処理や信号のサーチ、信号判別等を行わずに、選択部１４０は、選択する入力信号が入力される入力端子を入力端子１１０−３から入力端子１１０−１へ切り替える（ステップＳ５４）。
【００３７】
なお、上述したように、２つの入力信号、３つの入力信号を入力する形態に限らず、４つ以上の入力信号を入力する形態であっても良い。その場合、判別部１５０が判定したデータを制御部１６０が設定している間に、サーチおよび判別処理を他の複数の入力信号について行っても良い。例えば、入力端子が入力端子（１）〜（４）まで４つ具備された信号処理装置において、入力端子（１）から入力端子（２）への切り替えの操作が行われた場合、制御部１６０が、入力信号（２）から入力された入力信号に対応するデータの設定を行っている間に、判別部１５０が入力端子（３）および入力端子（４）から入力される入力信号のサーチおよび判別処理を行い、比較部１３０が入力信号（２）から入力された入力信号の内容と入力信号（３）から入力された入力信号の内容との比較および入力信号（２）から入力された入力信号の内容と入力信号（４）から入力された入力信号の内容との比較を行って、それぞれの比較の結果を記憶するものであっても良い。このとき、入力端子（２）への切り替えが行われた後、次に切り替える先の優先順位を決めておくものであっても良い。また、ステップＳ４７の処理において選択される入力信号についてもあらかじめ優先順位を決めておくものであっても良い。
【００３８】
以上説明したように、本発明においては、１つの判別回路だけで複数の入力信号を処理することができ、互いの信号内容の比較結果を記憶しておくことで、その比較結果が互いの入力信号が同一であることを示すものである場合、入力端子の切り替えを瞬時に行うことができる。
【００３９】
上述した信号処理装置１００に設けられた各構成要素が行う処理は、目的に応じてそれぞれ作製された論理回路で行うようにしても良い。また、処理内容を手順として記述したコンピュータプログラム（以下、プログラムと称する）を信号処理装置１００にて読取可能な記録媒体に記録し、この記録媒体に記録されたプログラムを信号処理装置１００に読み込ませ、実行するものであっても良い。信号処理装置１００にて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）、Ｂｌｕ−ｒａｙ（登録商標）  Ｄｉｓｋなどの移設可能な記録媒体の他、信号処理装置１００に内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、信号処理装置１００に設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００４０】
上記の実施の形態の一部または全部は、以下の付記のようにも記載され得るが、以下には限られない。
（付記１）所定の操作を受け付ける入力部と、
複数の入力信号それぞれを入力する複数の入力端子と、
前記複数の入力信号の内容を互いに比較し、該比較の結果を記憶する比較部と、
前記入力部が所定の操作を受け付けると、前記入力信号をミュート状態にして出力するミュート処理を開始してから、前記複数の入力信号のうち選択している入力信号を、切り替えようとする他の入力信号へ切り替える選択部と、
前記選択部が選択した入力信号の内容を判別する判別部と、
前記選択部が切り替えた入力信号に対応するデータを設定する制御部とを有し、
前記選択部は、前記制御部が前記入力信号に対応するデータを設定している間に、前記複数の入力信号のうち、前記制御部がデータを設定している入力信号とは異なる入力信号を選択し、
前記比較部は、前記制御部がデータを設定している入力信号の内容と、前記制御部が前記入力信号に対応するデータを設定している間に前記選択部が選択した入力信号の内容とを比較し、該比較の結果を記憶し、
前記選択部は、前記比較部が前記比較を行った後、選択する入力信号を前記制御部が前記データを設定した入力信号へ切り替えて前記ミュート処理を終了し、前記入力部が所定の操作を受け付けた際、前記比較部が記憶している比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える信号処理装置。
（付記２）前記選択部が選択した入力信号に対して、前記制御部が設定したデータを用いて所定の処理を行う信号処理部と、
前記信号処理部で処理された信号を出力する出力部とを有する、付記１に記載の信号処理装置。
（付記３）前記出力部は、前記入力信号を映像信号として表示する、付記２に記載の信号処理装置。
（付記４）前記出力部は、前記入力信号を映像信号として投写する、付記２に記載の信号処理装置。
（付記５）前記複数の入力端子それぞれは、複数の映像信号を入力する、付記１から４のいずれか１項に記載の信号処理装置。
（付記６）前記複数の入力端子は、互いに異なるインタフェースを有する、付記１から５のいずれか１項に記載の信号処理装置。
（付記７）前記複数の入力端子の数が３つである場合、前記選択部は、前記入力部が前記所定の操作を受け付けた際に前記選択部が選択している入力信号ではない２つの入力信号のうちいずれか一方を前記異なる入力信号として選択する、付記１から６のいずれか１項に記載の信号処理装置。
（付記８）前記複数の入力端子の数が４つ以上である場合、前記選択部は、前記入力部が前記所定の操作を受け付けた際に前記選択部が選択している入力信号ではない複数の入力信号のうちあらかじめ設定された優先順位に基づいていずれか１つを前記異なる入力信号として選択する、付記１から６のいずれか１項に記載の信号処理装置。
（付記９）複数の入力信号のうち１つの入力信号を選択する処理と、
所定の操作を受け付ける処理と、
前記所定の操作を受け付けると、前記入力信号をミュート状態にして出力するミュート処理を開始してから、前記複数の入力信号のうち選択している入力信号を、切り替えようとする他の入力信号へ切り替える処理と、
前記切り替えた入力信号の内容を判別する処理と、
前記切り替えた入力信号に対応するデータを設定する処理と、
前記入力信号に対応するデータを設定している間に、前記複数の入力信号のうち、前記データが設定されている入力信号とは異なる入力信号を選択する処理と、
前記データが設定されている入力信号の内容と、前記入力信号に対応するデータを設定している間に切り替えた入力信号の内容とを比較する処理と、
前記比較の結果を記憶する処理と、
前記比較を行った後、選択する入力信号を前記データが設定された入力信号へ切り替えて前記ミュート処理を終了する処理と、
前記所定の操作を受け付けた際、前記比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える処理とを行う信号処理方法。
（付記１０）コンピュータに、
複数の入力信号のうち１つの入力信号を選択する手順と、
所定の操作を受け付ける手順と、
前記所定の操作を受け付けると、前記入力信号をミュート状態にして出力するミュート処理を開始してから、前記複数の入力信号のうち選択している入力信号を、切り替えようとする他の入力信号へ切り替える手順と、
前記切り替えた入力信号の内容を判別する手順と、
前記切り替えた入力信号に対応するデータを設定する手順と、
前記入力信号に対応するデータを設定している間に、前記複数の入力信号のうち、前記データが設定されている入力信号とは異なる入力信号を選択する手順と、
前記データが設定されている入力信号の内容と、前記入力信号に対応するデータを設定している間に切り替えた入力信号の内容とを比較する手順と、
前記比較の結果を記憶する手順と、
前記比較を行った後、選択する入力信号を前記データが設定された入力信号へ切り替えて前記ミュート処理を終了する手順と、
前記所定の操作を受け付けた際、前記比較の結果が、前記複数の入力信号のうち選択している入力信号の内容と切り替えようとする他の入力信号の内容とが同一を示すものである場合、前記ミュート処理を行わずに、前記入力信号を該他の入力信号へ切り替える手順とを実行させるためのプログラム。
【符号の説明】
【００４１】
１００    信号処理装置
１１０−１，１１０−２    入力端子
１２０    入力部
１３０    比較部
１４０    選択部
１５０    判別部
１６０    制御部
１７０    信号処理部
１８０    出力部
【図１】
2017152856.tif 000003
【図２】
2017152856.tif 000004
【図３】
2017152856.tif 000005
【図４】
2017152856.tif 000006
【図５】
2017152856.tif 000007
【図６】
2017152856.tif 000008
【図７】
2017152856.tif 000009
【図８】
2017152856.tif 000010